Podtech/llm-jp-corpus-v4-ja_patent huggingface dataset:
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
研磨対象物を研磨するための研磨表面を有する研磨パッドの、前記研磨表面とは反対側の裏面が取り付けられる研磨テーブルと、
前記研磨パッドの前記研磨表面に対向させて前記研磨対象物を保持できる保持部と、
前記研磨テーブル内に配置され、前記研磨の終点を検知する終点検知センサとを有する研磨装置であって、
前記研磨テーブルは、前記研磨パッドが取り付けられる取付面を有し、
前記研磨テーブルは、突出部材を前記取付面上に有し、
前記突出部材は、前記取付面から突出しており、
前記終点検知センサの少なくとも一部は、前記突出部材の内部に配置され、
前記研磨テーブルは、前記取付面の反対側に開口を有する、および／または、前記突出部材は、前記研磨パッドに面する開口部を有することを特徴とする研磨装置。
【請求項２】
前記突出部材は、前記研磨テーブルと一体であることを特徴とする請求項１記載の研磨装置。
【請求項３】
前記突出部材は、前記研磨テーブルとは独立の部品であることを特徴とする請求項１記載の研磨装置。
【請求項４】
前記突出部材は、前記研磨パッドの前記裏面と接触可能であることを特徴とする請求項１記載の研磨装置。
【請求項５】
前記突出部材は、前記研磨パッドの前記裏面と接触しないことを特徴とする請求項１記載の研磨装置。
【請求項６】
前記終点検知センサの全体が、前記研磨テーブルの内部に配置されることを特徴とする請求項１記載の研磨装置。
【請求項７】
前記終点検知センサは、前記突出部材から前記研磨テーブルの外部に突出しないことを特徴とする請求項１記載の研磨装置。
【請求項８】
請求項１記載の研磨装置に使用される研磨パッドであって、
前記研磨パッドの前記裏面は、前記突出部材に対向する部分に凹部を有することを特徴とする研磨パッド。
【請求項９】
前記研磨パッドは、前記研磨表面を有する研磨層と、前記裏面を有する裏打ち層とを有し、前記凹部における前記研磨層及び前記裏打ち層のうち少なくとも一方の厚さは、前記凹部以外における前記研磨層及び前記裏打ち層のうち前記少なくとも一方の厚さより薄いことを特徴とする請求項８に記載の研磨パッド。
【請求項１０】
前記研磨パッドは、前記研磨表面を有する研磨層と、前記裏面を有する裏打ち層とを有し、前記研磨層及び前記裏打ち層のうち少なくとも一方は、前記突出部材に対向する部分に前記凹部を有することを特徴とする請求項８に記載の研磨パッド。
【請求項１１】
前記研磨パッドは、前記裏面の一部である第１の部材と、前記裏面の別の一部である第２の部材とを有し、前記第２の部材は、前記第１の部材とは別箇独立であり、前記第２の部材に前記凹部が設けられることを特徴とする請求項８に記載の研磨パッド。
【請求項１２】
前記第１の部材は、前記研磨表面を有する研磨層と、前記裏面の一部を有する裏打ち層とを有し、前記裏打ち層は穴を有し、前記第２の部材は前記穴に配置されることを特徴とする請求項１１に記載の研磨パッド。
【請求項１３】
前記第１の部材は、前記研磨表面側から前記裏面側へ貫通する穴を有し、前記第２の部材は貫通する前記穴に配置されることを特徴とする請求項１１に記載の研磨パッド。
【請求項１４】
前記研磨パッドは、貫通する前記穴に配置されてかつ前記第２の部材の前記研磨表面側に配置される第３の部材を有することを特徴とする請求項１３に記載の研磨パッド。
【手続補正２】
【補正対象書類名】明細書
【補正対象項目名】００７４
【補正方法】変更
【補正の内容】
【００７４】
突出部材１６と研磨テーブル１００を独立に製作することができるため、突出部材１６と、研磨テーブル１００を、それぞれに最適な別の材質とすることができる。突出部材１６の材質は、例えば、シリコンカーバイド（SIC）やステンレス鋼（SUS）である。研磨テーブル１００の材質は、例えばSICやSUSである。
以上説明したように、本発明は以下の形態を有する。
形態１
研磨対象物を研磨するための研磨表面を有する研磨パッドと、
前記研磨パッドの、前記研磨表面とは反対側の裏面が取り付けられる研磨テーブルと、
前記研磨パッドの前記研磨表面に対向させて前記研磨対象物を保持できる保持部と、
前記研磨テーブル内に配置され、前記研磨の終点を検知する終点検知センサとを有する研磨装置において、
前記研磨テーブルは、前記研磨パッドが取り付けられる取付面から突出している突出部材を前記取付面上に有し、
前記研磨パッドの前記裏面は、前記突出部材に対向する部分に凹部を有し、
前記終点検知センサの少なくとも一部は、前記突出部材の内部に配置されることを特徴
とする研磨装置。
形態２
前記突出部材は、前記研磨テーブルと一体であることを特徴とする形態１記載の研磨装置。
形態３
前記突出部材は、前記研磨テーブルとは独立の部品であることを特徴とする形態１記載の研磨装置。
形態４
前記研磨パッドは、前記研磨表面を有する研磨層と、前記裏面を有する裏打ち層とを有し、前記凹部における前記研磨層及び前記裏打ち層のうち少なくとも一方の厚さは、前記凹部以外における前記研磨層及び前記裏打ち層のうち前記少なくとも一方の厚さより薄いことを特徴とする形態１から３までのいずれか１項に記載の研磨装置。
形態５
前記研磨パッドは、前記研磨表面を有する研磨層と、前記裏面を有する裏打ち層とを有し、前記凹部において、前記研磨層及び前記裏打ち層のうち少なくとも一方は、前記研磨表面側にくぼんでいることを特徴とする形態１から３までのいずれか１項に記載の研磨装置。
形態６
前記突出部材は、前記研磨パッドの前記裏面と接触していることを特徴とする形態１から５までのいずれか１項に記載の研磨装置。
形態７
前記突出部材は、前記研磨パッドの前記裏面と接触していないことを特徴とする形態１から５までのいずれか１項に記載の研磨装置。
形態８
前記終点検知センサの全体が、前記研磨テーブルの内部に配置されることを特徴とする形態１から７までのいずれか１項に記載の研磨装置。
形態９
前記終点検知センサは、前記突出部材から前記研磨テーブルの外部に突出しないことを特徴とする形態１から８までのいずれか１項に記載の研磨装置。
形態１０
前記研磨パッドは、第１の部材と、前記第１の部材とは別箇独立な第２の部材とを有し、前記第２の部材に前記凹部が設けられることを特徴とする形態１から３までのいずれか１項に記載の研磨装置。
形態１１
前記第１の部材は、前記研磨表面を有する研磨層と、前記裏面を有する裏打ち層とを有し、前記研磨層及び前記裏打ち層のうち少なくとも前記裏打ち層は穴を有し、前記第２の部材は前記穴に配置されることを特徴とする形態１０に記載の研磨装置。
形態１２
前記第１の部材は、前記研磨パッドの前記研磨表面と前記裏面とを貫通する穴を有し、前記第２の部材は貫通する前記穴に配置されることを特徴とする形態１０に記載の研磨装置。
形態１３
前記研磨パッドは、前記第２の部材の前記研磨表面側に、第３の部材を有することを特徴とする形態１２に記載の研磨装置。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
工具刃であって、
裏当てストリップと、
研磨材料の粒子と、
前記裏当てストリップの端部に沿って前記研磨粒子を結合する結合材料の結合層とを含み、
前記結合材料と前記研磨粒子は、刃先を与えるように輪郭成形された切削部分を形成し、
前記裏当てストリップの端部には歯が予め形成されており、前記歯の上で前記研磨粒子が前記結合材料によって結合され、
前記予め形成された歯は、前記切削部分が少なくとも部分的に配置されている上端に沿って少なくとも部分的に平坦にされ、
前記輪郭成形された切削部分は、前記予め形成された歯を超えて延在している、工具刃。
【請求項２】
前記予め形成された歯は、概ね三角波として成形されている、請求項１に記載の工具刃。
【請求項３】
前記裏当てストリップの予め形成された歯のサイズは所望のサイズよりも小さく、前記研磨粒子と結合材料は、前記予め形成された歯を被覆して前記歯のサイズを前記所望のサイズまで増大させる、請求項１または２に記載の工具刃。
【請求項４】
前記研磨粒子の粒径は５００ミクロン以下である、請求項１〜３のいずれかに記載の工具刃。
【請求項５】
前記結合材料はろう付け材料を含む、請求項１〜４のいずれかに記載の工具刃。
【請求項６】
工具刃を製造する方法であって、
裏当てストリップを与え、
研磨材料の粒子を供給し、
結合材料を供給し、
前記結合材料は、前記裏当てストリップの端部に沿って前記研磨粒子を結合する結合層を形成し、
前記結合材料と前記研磨粒子は、刃先を形成するように輪郭成形された切削部分を形成し、
前記研磨粒子および前記結合材料の導入前に、前記裏当てストリップの端部に歯を予め形成し、
前記結合材料を放射線のビームで加熱して前記結合層を形成し、
前記予め形成された歯は、前記切削部分が少なくとも部分的に配置されている上端に沿って少なくとも部分的に平坦にされ、
前記輪郭成形された切削部分は、前記予め形成された歯を超えて配置されている、工具刃を製造する方法。
【請求項７】
前記歯を、所望のサイズよりも小さいサイズになるように予め形成し、前記研磨粒子と結合材料は、前記歯を被覆して前記被覆された歯のサイズを前記所望のサイズまで増す、請求項６に記載の工具刃を製造する方法。
【請求項８】
前記歯を、所望のサイズよりも小さいサイズになるように予め形成し、前記研磨粒子と結合材料は、前記歯を被覆して、前記所望のサイズよりも大きいサイズを有する被覆歯を作製し、前記被覆歯を処理して前記所望のサイズにする、請求項６に記載の工具刃を製造する方法。
【請求項９】
前記被覆された歯を研削して鋭くする、請求項７または８に記載の工具刃を製造する方法。
【請求項１０】
前記結合材料をレーザ放射線で加熱する、請求項６〜９のいずれかに記載の工具刃を製造する方法。
【請求項１１】
前記研磨粒子を、前記裏当てストリップの端部の上に噴射するまたは流すことによって導入し、高温結合マトリクス粉末を独立して噴射するまたは流すことにより、前記粒子を正確に位置決めする、請求項６〜９のいずれかに記載の工具刃を製造する方法。
【請求項１２】
３Ｄプリンタに前記工具刃などをプリントさせるコンピュータで実行可能な命令を有するコンピュータ読取可能な媒体を準備する工程を備える、請求項６〜１１のいずれかに記載の工具刃を製造する方法。
【手続補正２】
【補正対象書類名】明細書
【補正対象項目名】発明の名称
【補正方法】変更
【補正の内容】
【発明の名称】工具刃および工具刃の製造方法
【手続補正書】
【提出日】令和1年5月21日(2019.5.21)
【手続補正１】
【補正対象書類名】特許請求の範囲
【補正対象項目名】請求項３
【補正方法】変更
【補正の内容】
【請求項３】
前記第１ギアは、
第１ギア部と、
該第１ギア部から突出した第１軸部と
を備え、
前記第２ギアは、
前記第１ギアに噛合する第２ギア部と、
該第２ギア部から前記第１軸部の反対方向に突出した第２軸部と
を備え、
前記主動アームは前記第１軸部に連結し、前記従動アームは第２軸部に連結していること
を特徴とする請求項２に記載の搬送装置。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
隔膜により区画した陽極室と陰極室とを有し、水を供給しながら各極室に配設した電極間に前記隔膜を介して通電することにより前記水を電気分解して、前記陽極室より酸性水を吐出しつつ前記陰極室よりアルカリ性の電解水素水を吐出する電解槽を備えた電解水素水生成器であって、  
前記陽極室へ供給する原水に前記電解槽より吐出された酸性水の一部を合流させる還流バイパス流路を備え、
前記還流バイパス流路は、 
前記電解槽より吐出された酸性水を排水する排水流路の中途より酸性水の一部を分流する酸性水分岐流路と、
前記陽極室へ原水を供給する流路上に形成され、前記酸性水分岐流路を流れる酸性水を前記原水に合流させる酸性水還流混合部と、 
を備え、
前記排水流路には、前記酸性水分岐流路の分岐部よりも下流側に、同排水流路を流れる酸性水の流量を調整する流量調整手段が設けられていることを特徴とする電解水素水生成器。
【請求項２】
前記排水流路の中途部に屈曲流路を介設してその下流を電解槽の正面より前方に離隔した離隔流路と成すと共に電解槽の正面前方であって前記離隔流路の側方にパーツ配置空間を形成し、同パーツ配置空間に前記流量調整手段を配設したことを特徴とする請求項１に記載の電解水素水生成器。
【請求項３】
前記屈曲流路よりも上流側の排水流路は、前記電解槽のケーシングと一体的に形成されていることを特徴とする請求項２に記載の電解水素水生成器。
【請求項４】
前記分岐部を前記屈曲流路又はその下流に設けて前記酸性水分岐流路を離隔流路と成すと共に、同酸性水分岐流路の先端部を電解槽の下部へ向けて折曲させて電解槽の下面下方に酸性水還流混合部を配置したことを特徴とする請求項２又は請求項３に記載の電解水素水生成器。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
導電性膜にパターン形成するプロセスであって、このプロセスは、
基材表面に堆積した前記導電性膜を含む前記基材を提供することと、
前記導電性膜を親水性プライマー層でコーティングすることと、
インクジェットプリンタからエッチング剤の液滴をプライマー層に画像状のパターンに放出し、前記導電性膜にパターン形成することと、
前記基材から前記プライマー層を除去することと
を含む、プロセス。
【請求項２】
前記導電性膜が疎水性である、請求項１に記載のプロセス。
【請求項３】
前記導電性膜が有機膜である、請求項１に記載のプロセス。
【請求項４】
前記有機膜が、ポリアセチレン、ポリフェニレンビニレン；ポリピロール、ポリチオフェン、ポリアニリン、ポリフェニレンスルフィド、ポリフェニレン、ポリフルオレン、ポリイソチアナフタレン、ポリイソナフトチオフェン、ポリジアセチレン、ポリ（パラフェニレンビニレン）、ポリアセン、ポリチアジル、ポリ（エチレンビニレン）、ポリパラフェニレン、ポリ（フェニレンビニレン）、ポリ（チエニレンビニレン）およびポリフェニレンスルフィドからなる群から選択される、請求項３に記載のプロセス。
【請求項５】
前記有機膜が、ポリチオフェン、ポリビチオフェン、ポリイソチオフェン、ポリ（３，４−エチレンジオキシチオフェン）、ポリイソナフトチオフェン、ポリドデシルチオフェン、ポリ（３，４−エチレンジオキシチオフェン）（ＰＥＤＯＴ）またはポリ（３，４−エチレンジオキシチオフェン）ポリスチレンスルホネート（ＰＥＤＯＴ−ＰＳＳ）からなる群から選択される、請求項３に記載のプロセス。
【請求項６】
前記導電性膜が、金属および導電性非金属からなる群から選択される、請求項１に記載のプロセス。
【請求項７】
前記プライマー層でコーティングすることは、
ワックス状デンプンと、
液体担体と
を含む成分から作られる濡れたコーティング組成物を前記基材に堆積させることと、
濡れたコーティング組成物を乾燥させ、前記プライマー層を作製することと
をさらに含む、請求項１に記載のプロセス。
【請求項８】
前記濡れたコーティング組成物は、スプレーコーティング、ロールコーティング、浸漬コーティング、スピンコーティング、フローコーティング、スタンプ印刷、ダイ押出コーティング、フレキソコーティングおよびグラビアコーティング、および／またはブレードコーティング技術からなる群から選択されるコーティング技術によって塗布される、請求項７に記載のプロセス。
【請求項９】
前記ワックス状デンプンは、ワックス状トウモロコシデンプン、ワックス状コメデンプン、ワックス状キャッサバデンプン、ワックス状ジャガイモデンプン、ワックス状コムギデンプンおよびワックス状オオムギデンプンからなる群から選択される少なくとも１つのデンプンを含む、請求項７に記載のプロセス。
【請求項１０】
前記濡れたコーティング組成物は、さらに、少なくとも１つの吸湿性材料を含む、請求項７に記載のプロセス。
【請求項１１】
前記少なくとも１つの吸湿性材料は、グリセロール、ソルビトール、グリコール、およびこれらの混合物からなる群から選択される、請求項１０に記載のプロセス。
【請求項１２】
前記濡れたコーティング組成物は、さらに、少なくとも１つの界面活性剤を含む、請求項１０に記載のプロセス。
【請求項１３】
前記少なくとも１つの界面活性剤は、アニオン性界面活性剤、カチオン性界面活性剤、非イオン性界面活性剤、およびこれらの混合物からなる群から選択される、請求項１２に記載のプロセス。
【請求項１４】
前記濡れたコーティング組成物は、さらに、少なくとも１つの界面活性剤を含む、請求項７に記載のプロセス。
【請求項１５】
前記濡れたコーティング組成物は、さらに、ポリビニルアルコール、ビニルアルコールとアルケンモノマーとのコポリマー、ポリ（アクリル酸）−ポリ（ビニルアルコール）コポリマー、ポリビニルアルコール−アクリル酸−メタクリル酸メチルコポリマー、およびポリ（ビニルアルコール−コ−アスパラギン酸）コポリマーからなる群から選択される少なくとも１つのポリマーを含む、請求項７に記載のプロセス。
【請求項１６】
前記液体担体は水系担体である、請求項７に記載のプロセス。
【請求項１７】
前記エッチング剤は、前記導電性膜の一部を、前記導電性膜よりも導電性が低い材料に変換する、請求項１に記載のプロセス。
【請求項１８】
前記エッチング剤が、少なくとも１つの酸化剤を含む、請求項１に記載のプロセス。
【請求項１９】
前記少なくとも１つの酸化剤は、次亜塩素酸ナトリウム水溶液および過酸化水素溶液からなる群から選択される、請求項１８に記載のプロセス。
【請求項２０】
前記エッチング剤は、前記導電性膜の一部を除去し、導電性パターンを形成する、請求項１に記載のプロセス。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
グラビアロールを用いて電池用セパレータに塗工液を塗布するリバースグラビア方式の塗工方法であって、
上記グラビアロールの直径をａ（ｍｍ）とし、
上記電池用セパレータの搬送速度に対する上記グラビアロールの周速の比率をｂ（％）とし、
上記グラビアロールの外周の単位面積あたりに設けられた、上記グラビアロールの凹部の容積をｃ（ｍＬ／ｍ２）としたとき、
０＜ａ×ｃ／ｂ＜１１３
を満たすことを特徴とする塗工方法。
【請求項２】
ａ×ｃ／ｂ≦９０
を満たすことを特徴とする請求項１に記載の塗工方法。
【請求項３】
１５≦ａ×ｃ／ｂ
を満たすことを特徴とする請求項１または２に記載の塗工方法。
【請求項４】
３２≦ａ×ｃ／ｂ＜１１３
を満たすことを特徴とする請求項１に記載の塗工方法。
【請求項５】
３２≦ａ×ｃ／ｂ≦６３
を満たすことを特徴とする請求項１に記載の塗工方法。
【請求項６】
前記ｃが１０ｍＬ／ｍ２以上、１２０ｍＬ／ｍ２以下である請求項１に記載の塗工方法。
【請求項７】
上記グラビアロールの表面には、上記凹部を構成する複数の溝が形成されていることを特徴とする請求項１〜６の何れか１項に記載の塗工方法。
【請求項８】
２０≦ａ≦１８０
を満たすことを特徴とする請求項１〜７の何れか１項に記載の塗工方法。
【請求項９】
請求項１〜８の何れか１項に記載の塗工方法を用いることを特徴とする電池用セパレータの製造方法。
【請求項１０】
前記電池用セパレータがポリオレフィン、（メタ）アクリレート系樹脂、含フッ素樹脂、ポリアミド系樹脂、ポリエステル系樹脂および水溶性ポリマーからなる群より１種以上選択される樹脂を含む請求項９に記載の電池用セパレータの製造方法。
【請求項１１】
上記ポリアミド系樹脂がアラミド樹脂である、請求項１０に記載の電池用セパレータの製造方法。
【請求項１２】
電池用セパレータの搬送方向に対してリバース方向に回転するグラビアロールを備えており、
上記グラビアロールの直径をａ（ｍｍ）とし、
上記電池用セパレータの搬送速度に対する上記グラビアロールの周速の比率をｂ（％）とし、
上記グラビアロールの外周の単位面積あたりに設けられた、上記グラビアロールの凹部の容積をｃ（ｍＬ／ｍ２）としたとき、
０＜ａ×ｃ／ｂ＜１１３
を満たすことを特徴とする塗工装置。
【手続補正書】
【提出日】令和1年8月10日(2019.8.10)
【手続補正１】
【補正対象書類名】特許請求の範囲
【補正対象項目名】全文
【補正方法】変更
【補正の内容】
【特許請求の範囲】
【請求項１】
光源からの光を被検眼の眼底上で走査するために前記光の進行方向を変える光スキャナを有する走査光学系と、
前記光スキャナと前記被検眼との間に配置され、前記光スキャナからの前記光を前記眼底に導くための対物光学系と、を有し、前記光の眼底反射光に基づいて前記眼底の画像を形成する眼底撮影装置であって、
前記対物光学系は、
前記光スキャナからの前記光を反射することによって、前記光スキャナの動作に伴って前記光が旋回される第１旋回点を形成する第１ミラーと、
前記第１ミラーによって反射された前記光を更に反射することによって、前記被検眼に出射される前記光が旋回される第２旋回点を形成する第２ミラーと、を有し、
前記第２旋回点における前記光の振り角に対し、前記第１ミラーに入射される光の振り角が小さいことを特徴とする眼底撮影装置。
【請求項２】
前記第１ミラーは、前記走査光学系から前記第１ミラーへ入射するときの前記光の振り角に対して大きな振り角で、前記第1旋回点から前記第２ミラーへ入射する前記光を前記第1旋回点において旋回させる請求項１記載の眼底撮影装置。
【請求項３】
前記第１ミラーは、前記第１旋回点を前記第１ミラーの焦点に形成し、
前記第２ミラーは、２つの焦点を持ち、一方の焦点に前記第１旋回点が位置されることによって、他方の焦点に前記第２旋回点が形成される請求項１又は２記載の眼底撮影装置。
【請求項４】
前記第１ミラーは、鏡面が二次曲面で形成された非球面鏡である請求項１から３のいずれかに記載の眼底撮影装置。
【請求項５】
前記第１ミラーは、凸面を反射面とし、
前記第２ミラーは、凹面を反射面とする請求項１から４のいずれかに記載の眼底撮影装置。
【請求項６】
前記眼底反射光が前記第１ミラーと前記第２ミラーとによって反射されることによって生じる像面の傾きを補正する光学部材を有する請求項１から５のいずれかに記載の眼底撮影装置。
【請求項７】
前記第１ミラーは、前記第２ミラーによって生じる非対称な像面歪曲を補正する請求項１から６のいずれかに記載の眼底撮影装置。
【請求項８】
前記走査光学系は、
第１光源からの光を走査する第１光スキャナを有し，前記第１光源からの光による前記眼底の正面画像を得るためのＳＬＯ光学系と、
第２光源からの測定光を走査する第２光スキャナを有し，光干渉の原理を用いて前記被検眼の断層画像を得るためのＯＣＴ光学系と、
前記第１光スキャナと前記第１ミラーとの間であり、且つ、前記第２光スキャナと前記第１ミラーとの間において、前記ＳＬＯ光学系の光路と前記ＯＣＴ光学系の光路とを結合させる光路結合部材と、を有する請求項１から７のいずれかに記載の眼底撮影装置。
【請求項９】
前記ＳＬＯ光学系、および前記ＯＣＴ光学系は、物体側にテレセントリックであることを特徴とする請求項８記載の眼底撮影装置。
【手続補正書】
【提出日】平成31年2月1日(2019.2.1)
【手続補正１】
【補正対象書類名】明細書
【補正対象項目名】０００９
【補正方法】変更
【補正の内容】
【０００９】
本発明に係る消火栓装置は、トンネル内に固定され、前面に扉を備えた消火栓箱と、消火栓箱内に収納されたホースと、ホースの一次側に接続された配管と、ホースの二次側に接続されたノズルと、配管の経路中に設けられ、常時は閉状態であり、開状態に操作されることで配管内を流れる水をホースに供給する消火栓弁とを備え、消火栓箱は、消火栓操作過程でスタンバイ状態となり、タイマー機能を用いて、スタンバイ状態からの経過時間を計測し、あらかじめ設定された所定時間が経過した場合には、消火栓弁を開状態として放水を開始する制御部とを有するものである。
【手続補正２】
【補正対象書類名】特許請求の範囲
【補正対象項目名】全文
【補正方法】変更
【補正の内容】
【特許請求の範囲】
【請求項１】
トンネル内に固定され、前面に扉を備えた消火栓箱と、
前記消火栓箱内に収納されたホースと、
前記ホースの一次側に接続された配管と、
前記ホースの二次側に接続されたノズルと、
前記配管の経路中に設けられ、常時は閉状態であり、開状態に操作されることで前記配管内を流れる水を前記ホースに供給する消火栓弁と
を備え、
前記消火栓箱は、
消火栓操作過程でスタンバイ状態となり、タイマー機能を用いて、前記スタンバイ状態からの経過時間を計測し、あらかじめ設定された所定時間が経過した場合には、前記消火栓弁を開状態として放水を開始する制御部
を有する消火栓装置。
【請求項２】
前記ノズルからの放水が可能な状態に遷移する過程で、消火栓の使用開始を意味するスタンバイ信号を出力する信号発生器をさらに備え、
前記消火栓箱は、前記スタンバイ信号を受信する受信部をさらに有し、
前記ノズルは、
前記消火栓弁の開閉状態を操作する操作部と、
前記操作部の操作に基づき、消火栓弁開放信号を無線送信するノズル送信部と
を有し、
前記受信部は、前記信号発生器から前記スタンバイ信号が出力されると電源が供給され、前記消火栓弁開放信号を受信することが可能な状態となり、
前記制御部は、
前記所定時間が経過する前に前記消火栓弁開放信号を受信した場合には、前記消火栓弁を開状態とする制御を実行し、
前記タイマー機能を用いて、前記受信部を介して前記スタンバイ信号を受信してからの経過時間を計測し、前記消火栓弁開放信号を受信することなしに前記所定時間が経過した場合には、前記消火栓弁を開状態として放水を開始する
請求項１に記載の消火栓装置。
【請求項３】
音声アナウンスを出力する音響部をさらに備え、
前記制御部は、前記消火栓弁を開状態とした場合に前記音響部を介して前記消火栓弁が開状態になったことを知らせる音声アナウンスを出力する
請求項１または２に記載の消火栓装置。
【請求項４】
前記消火栓弁は、電動弁である
請求項１から３のいずれか１項に記載の消火栓装置。
【請求項５】
前記配管に水を供給するポンプをさらに備え、
前記制御部は、前記スタンバイ状態となった際に前記ポンプを起動させ、前記配管への水の供給を開始させる
請求項１から４のいずれか１項に記載の消火栓装置。
【請求項６】
前記消火栓箱は、前記受信部と前記制御部を、消火栓箱本体の外部に有している
請求項２に記載の消火栓装置。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
前扉を備えた遊技機であって、
前記前扉に設けられる上皿と、
前記前扉に設けられ、前記上皿から遊技球の供給を受けることが可能な下皿と、
前記前扉に設けられる所定の演出装置と、を備え、
前記前扉には、前記下皿の側方に所定空間が形成されており、該所定空間には、前記演出装置が配置されるものであって、
前記下皿には、前記所定空間との連通を遮断する下皿カバー部が設けられ、
前記演出装置は、前記下皿カバー部に接することなく前記所定空間に配置される
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される上皿と、上皿の下側に配置され遊技媒体が貯留される下皿とを備えている。（例えば、特許文献１）
【手続補正３】
【補正対象書類名】明細書
【補正対象項目名】０００５
【補正方法】変更
【補正の内容】
【０００５】
しかしながら、このような遊技媒体を貯留する皿を備える遊技機においては、皿としての機能を実現するうえでより好適なものが求められている。
【手続補正４】
【補正対象書類名】明細書
【補正対象項目名】０００６
【補正方法】変更
【補正の内容】
【０００６】
本発明は、遊技機においてより好適な下皿の構成を提案するものである。
【手続補正５】
【補正対象書類名】明細書
【補正対象項目名】０００７
【補正方法】変更
【補正の内容】
【０００７】
本発明は、
前扉を備えた遊技機であって、
前記前扉に設けられる上皿と、
前記前扉に設けられ、前記上皿から遊技球の供給を受けることが可能な下皿（例えば下皿本体３２５）と、
前記前扉に設けられる所定の演出装置と、を備え、
前記前扉には、前記下皿の側方に所定空間（例えば取付空間３２６ｊ）が形成されており、該所定空間には、前記演出装置が配置されるものであって、
前記下皿には、前記所定空間との連通を遮断する下皿カバー部（例えば下皿カバー３４０）が設けられ、
前記演出装置は、前記下皿カバー部に接することなく前記所定空間に配置される
ことを特徴とする（例えば、段落０１６９〜０２１４の記載および図６、図４１〜図４７等を参照）。
【手続補正６】
【補正対象書類名】明細書
【補正対象項目名】０００８
【補正方法】変更
【補正の内容】
【０００８】
本発明によれば、より好適な下皿を提供することができる。
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体が貯留される上皿と、
所定形状の底壁部と所定高さの立壁部により形成される貯留領域に遊技媒体を貯留可能な下皿本体を有し、所定の供給口から遊技媒体が流入可能な下皿と
前記扉枠に設けられて正面視において該遊技領域の下方で前方へ膨出し、遊技者の手が届かない所定の内部空間が形成された膨出部と、
を備え、
前記下皿本体は、遊技機の前方に臨む領域が形成される第１下皿部と、前記第１下皿部と一体的に設けられて前記供給口が連通する第２下皿部と、を有し、
前記内部空間は、少なくとも前記下皿本体の前記立壁部より高い位置に存在する空間を含み、
前記供給口の前方に位置するカバー立壁部を備え、
前記供給口の前方に位置する前記下皿本体の立壁部および前記カバー立壁部は、前記供給口から供給される遊技媒体を前記第１下皿部側へ転動させるような斜壁部を有し、
前記カバー立壁部は、前記内部空間を形成する部材の一部を構成するものである
ことを特徴とする遊技機。
【請求項２】
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体が貯留される上皿と、
所定形状の底壁部と所定高さの立壁部により形成される貯留領域に遊技媒体を貯留可能な下皿本体を有し、所定の供給口から遊技媒体が流入可能な下皿と
前記扉枠に設けられて正面視において該遊技領域の下方で前方へ膨出し、遊技者の手が届かない所定の内部空間が形成された膨出部と、
を備え、
前記下皿本体は、遊技機の前方に臨む領域が形成される第１下皿部と、前記第１下皿部と一体的に設けられて前記供給口が連通する第２下皿部と、を有し、
前記内部空間は、少なくとも前記下皿本体の前記立壁部より高い位置に存在する空間を含み、
前記第２下皿部の上方を塞ぐようなカバー天井部を備え、
前記供給口の前方に位置する前記下皿本体の立壁部は、前記供給口から供給される遊技媒体を前記第１下皿部側へ転動させるような斜壁部を有し、
前記カバー天井部は、前記内部空間を形成する部材の一部を構成するものである
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される上皿と、上皿の下側に配置され遊技媒体が貯留される下皿とを備えている。（例えば、特許文献１、２）
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
しかしながら、このような遊技媒体を貯留する皿を備える遊技機においては、皿としての機能を実現するうえでより好適なものが求められている。
【手続補正５】
【補正対象書類名】明細書
【補正対象項目名】０００６
【補正方法】削除
【補正の内容】
【手続補正６】
【補正対象書類名】明細書
【補正対象項目名】０００８
【補正方法】変更
【補正の内容】
【０００８】
本発明は、遊技機においてより好適な下皿の構成を提案するものである。
【手続補正７】
【補正対象書類名】明細書
【補正対象項目名】０００９
【補正方法】変更
【補正の内容】
【０００９】
本発明は、
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体が貯留される上皿と、
所定形状の底壁部と所定高さの立壁部により形成される貯留領域に遊技媒体を貯留可能な下皿本体を有し、所定の供給口から遊技媒体が流入可能な下皿と
前記扉枠に設けられて正面視において該遊技領域の下方で前方へ膨出し、遊技者の手が届かない所定の内部空間が形成された膨出部と、
を備え、
前記下皿本体は、遊技機の前方に臨む領域が形成される第１下皿部と、前記第１下皿部と一体的に設けられて前記供給口が連通する第２下皿部と、を有し、
前記内部空間は、少なくとも前記下皿本体の前記立壁部より高い位置に存在する空間を含み、
前記供給口の前方に位置するカバー立壁部を備え、
前記供給口の前方に位置する前記下皿本体の立壁部および前記カバー立壁部は、前記供給口から供給される遊技媒体を前記第１下皿部側へ転動させるような斜壁部を有し、
前記カバー立壁部は、前記内部空間を形成する部材の一部を構成するものである
ことを特徴とする。
また、本発明は、
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体が貯留される上皿と、
所定形状の底壁部と所定高さの立壁部により形成される貯留領域に遊技媒体を貯留可能な下皿本体を有し、所定の供給口から遊技媒体が流入可能な下皿と
前記扉枠に設けられて正面視において該遊技領域の下方で前方へ膨出し、遊技者の手が届かない所定の内部空間が形成された膨出部と、
を備え、
前記下皿本体は、遊技機の前方に臨む領域が形成される第１下皿部と、前記第１下皿部と一体的に設けられて前記供給口が連通する第２下皿部と、を有し、
前記内部空間は、少なくとも前記下皿本体の前記立壁部より高い位置に存在する空間を含み、
前記第２下皿部の上方を塞ぐようなカバー天井部を備え、
前記供給口の前方に位置する前記下皿本体の立壁部は、前記供給口から供給される遊技媒体を前記第１下皿部側へ転動させるような斜壁部を有し、
前記カバー天井部は、前記内部空間を形成する部材の一部を構成するものである
ことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明によれば、より好適な下皿を提供することができる。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
利益付与に関する抽選を行う第１抽選手段と、
前記第１抽選手段の抽選をその実行条件が成立するまで待機させて保留する第１保留手段と、
前記第１抽選手段と異なる内容で利益付与に関する抽選を行う第２抽選手段と、
前記第２抽選手段の抽選をその実行条件が成立するまで待機させて保留する第２保留手段と、
遊技者に利益を付与する大当り遊技を行う大当り遊技実行手段と、
通常遊技状態と該通常遊技状態よりも前記第２保留手段による保留がなされ易い時短遊技状態とを含む複数の遊技状態のなかで遊技状態を制御する遊技状態制御手段と、を備え、
前記第２抽選手段は、前記大当り遊技への移行契機となる特別結果に関する抽選を実行可能であり、該特別結果に当選した場合の特別遊技において略１００％の確率で前記大当り遊技へと移行可能とされ、
前記第２抽選手段による抽選は、前記特別結果に関する抽選によって前記大当り遊技が得られる割合が前記第１抽選手段による抽選よりも高くされ、
前記時短遊技状態において前記第２保留手段によって保留された保留数分の前記第２抽選手段による抽選を、前記遊技状態制御手段によって前記時短遊技状態から前記通常遊技状態へと移行された後に行い、限られた回数のなかで前記特別結果が得られるかの有限チャンス遊技を提供可能とし、
前記通常遊技状態へと移行する前の前記時短遊技状態において、前記第２保留手段の保留数が上限数となったことを遊技者が把握可能とされる
ことを特徴とする遊技機。
【手続補正２】
【補正対象書類名】明細書
【補正対象項目名】０００５
【補正方法】変更
【補正の内容】
【０００５】
しかしながら、こうした遊技仕様はありきたりなものとなっており、遊技興趣の低下が抑制される新たな遊技仕様の登場が望まれている実情にある。
【手続補正３】
【補正対象書類名】明細書
【補正対象項目名】０００７
【補正方法】変更
【補正の内容】
【０００７】
上記課題を解決するために、本願発明は、利益付与に関する抽選を行う第１抽選手段と、
前記第１抽選手段の抽選をその実行条件が成立するまで待機させて保留する第１保留手段と、
前記第１抽選手段と異なる内容で利益付与に関する抽選を行う第２抽選手段と、
前記第２抽選手段の抽選をその実行条件が成立するまで待機させて保留する第２保留手段と、
遊技者に利益を付与する大当り遊技を行う大当り遊技実行手段と、
通常遊技状態と該通常遊技状態よりも前記第２保留手段による保留がなされ易い時短遊技状態とを含む複数の遊技状態のなかで遊技状態を制御する遊技状態制御手段と、を備え、
前記第２抽選手段は、前記大当り遊技への移行契機となる特別結果に関する抽選を実行可能であり、該特別結果に当選した場合の特別遊技において略１００％の確率で前記大当り遊技へと移行可能とされ、
前記第２抽選手段による抽選は、前記特別結果に関する抽選によって前記大当り遊技が得られる割合が前記第１抽選手段による抽選よりも高くされ、
前記時短遊技状態において前記第２保留手段によって保留された保留数分の前記第２抽選手段による抽選を、前記遊技状態制御手段によって前記時短遊技状態から前記通常遊技状態へと移行された後に行い、限られた回数のなかで前記特別結果が得られるかの有限チャンス遊技を提供可能とし、
前記通常遊技状態へと移行する前の前記時短遊技状態において、前記第２保留手段の保留数が上限数となったことを遊技者が把握可能とされる
ことを特徴とする。
また、以下に記載の手段を採用するようにしてもよい。
手段１：遊技領域内に配置され遊技媒体を受け入れ可能な始動口と、
前記始動口に遊技媒体が受け入れられたことに基づいて抽選を行う抽選手段と
を備え、前記抽選手段による抽選の結果として特定の遊技条件が満たされた場合、遊技者に利益が付与される特賞期間を発生しうる遊技機において、
遊技者に利益を付与するべく、所定の可動体の作動によって遊技媒体の受け入れが容易化される球入賞手段と、
前記特定の遊技条件が満たされ難い通常状態にあるとき、この通常状態よりも前記特定の遊技条件が相対的に満たされ易くされる有利状態への制御を実行可能な遊技条件変更手段と、
前記通常状態にあるときの前記抽選の結果として特定の遊技条件が満たされた場合、前記可動体の作動による前記球入賞手段での遊技媒体の受け入れの容易化により賞が獲得可能とされる当り制御と、前記遊技条件変更手段による前記有利状態への有利化制御との両方を提供する通常時利益制御手段と、
前記有利状態にあるときの前記抽選の結果として特定の遊技条件が満たされた場合、前記可動体の作動による前記球入賞手段での遊技媒体の受け入れの容易化により賞が獲得可能とされる当り制御と、前記遊技条件変更手段による前記有利状態への有利化制御とのうちの少なくとも前記賞が獲得可能とされる当り制御を提供する有利時利益制御手段と、
前記通常状態にあるときの前記抽選の結果として特定の遊技条件が満たされた場合、前記通常時利益制御手段によって前記有利状態への制御が行われた以降に前記有利時利益制御手段によって比較的早い段階で提供されることが見込まれはするものの未だその実行時期が定かとされていない当り制御の進行にかかる進捗表示を、前記通常時利益制御手段による当り制御によって遊技がなされる段階から強行出現させる制御を実行可能な進捗表示制御手段と
を備え、
前記進捗表示制御手段は、
前記進捗表示を強行出現させた以降、該進捗表示については、前記通常時利益制御手段によって提供される前記有利状態での遊技を経た後の、前記有利時利益制御手段による当り制御によってなされる遊技までを通してその進捗の状況にかかる更新が行われながらもその出現が維持されるようにすることで、前記通常時利益制御手段による当り制御によってなされる遊技から前記有利時利益制御手段による当り制御によってなされる遊技までを１つの特賞期間として見せる特賞演出が行われるようにした
ことを特徴とする遊技機。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
始動口に入賞すると第１図柄の可変表示が実行可能であり、
可変始動口に入賞すると第２図柄の可変表示が実行可能であり、
前記可変始動口を開放状態と閉鎖状態とに制御する可変始動口開閉手段と、
遊技者に利益を付与する大当り遊技を実行する利益実行手段と、
前記大当り遊技への移行契機となる小当り遊技を実行する小利益実行手段と、
可変表示に関する情報を、上限数を限度に保留記憶として記憶する保留記憶手段と、
前記可変始動口開閉手段により前記可変始動口を前記開放状態とする時間が長くなる時短状態へ前記大当り遊技の終了後に制御可能な遊技状態制御手段と
を備え、
前記第１図柄よりも前記第２図柄の方が前記大当り遊技を実行する割合が高くなっており、
前記遊技状態制御手段により前記時短状態に制御されている可変表示において前記第２図柄の前記保留記憶が前記上限数となるように前記保留記憶を貯めさせる保留促進演出が実行され、
前記時短状態が終了した後の通常遊技状態において、前記上限数まで記憶された前記第２図柄の可変表示において特定表示結果が導出されたときに前記小当り遊技が付与され、該小当り遊技を実行すると略１００％の確率で前記大当り遊技へ移行するようになっており、該大当り遊技後には再び前記時短状態に制御され、
前記保留促進演出を実行した後に前記保留記憶が前記上限数となると該上限数となったことを報知する保留記憶上限数達成演出を実行する
ことを特徴とする遊技機。
【手続補正２】
【補正対象書類名】明細書
【補正対象項目名】０００８
【補正方法】変更
【補正の内容】
【０００８】
上記課題を解決するために、本願発明は、
始動口に入賞すると第１図柄の可変表示が実行可能であり、
可変始動口に入賞すると第２図柄の可変表示が実行可能であり、
前記可変始動口を開放状態と閉鎖状態とに制御する可変始動口開閉手段と、
遊技者に利益を付与する大当り遊技を実行する利益実行手段と、
前記大当り遊技への移行契機となる小当り遊技を実行する小利益実行手段と、
可変表示に関する情報を、上限数を限度に保留記憶として記憶する保留記憶手段と、
前記可変始動口開閉手段により前記可変始動口を前記開放状態とする時間が長くなる時短状態へ前記大当り遊技の終了後に制御可能な遊技状態制御手段と
を備え、
前記第１図柄よりも前記第２図柄の方が前記大当り遊技を実行する割合が高くなっており、
前記遊技状態制御手段により前記時短状態に制御されている可変表示において前記第２図柄の前記保留記憶が前記上限数となるように前記保留記憶を貯めさせる保留促進演出が実行され、
前記時短状態が終了した後の通常遊技状態において、前記上限数まで記憶された前記第２図柄の可変表示において特定表示結果が導出されたときに前記小当り遊技が付与され、該小当り遊技を実行すると略１００％の確率で前記大当り遊技へ移行するようになっており、該大当り遊技後には再び前記時短状態に制御され、
前記保留促進演出を実行した後に前記保留記憶が前記上限数となると該上限数となったことを報知する保留記憶上限数達成演出を実行する
ことを特徴とする。
また、上記発明とは別に以下の手段を採用してもよい。
手段１：通常遊技状態から有利遊技状態への移行制御が実行可能とされる遊技機において、
遊技領域内に配置され遊技媒体を受け入れ可能な始動口と、
前記始動口に遊技媒体が受け入れられたことに基づいて乱数を取得する乱数取得手段と、
前記乱数取得手段により取得される乱数に基づいて抽選を行う抽選手段と、
前記乱数取得手段により乱数が取得された場合、該取得された乱数に応じた前記抽選をその実行条件が成立するまで待機させて保留状態にする遊技保留手段と、
前記抽選手段による抽選にて特別当りが得られた場合、該特別当りに応じた図柄を出現させた後、遊技者に特典が付与される特典遊技状態が発生するように遊技を進行させる特別遊技進行制御手段と、
前記有利遊技状態において、前記始動口への遊技媒体の受け入れを前記通常遊技状態にあるときよりも容易化させる制御を実行可能な有利遊技制御手段と
を備え、
前記特別遊技進行制御手段は、
前記有利遊技状態において前記抽選にて特別当りが得られた場合、該特別当りに応じた図柄を出現させた後、前記特典遊技状態が発生するように遊技を進行させるときに、当該有利遊技状態を終了せずにこれを継続させるなかで前記始動口への遊技媒体の受け入れを促して前記抽選が新たに保留状態にされるようにしうる保留溜め演出期間を創出する演出期間創出手段と、
前記演出期間創出手段により創出された保留溜め演出期間が終了した以降に、前記有利遊技状態を終了させてから前記特典遊技状態を発生させる制御を実行可能な特典遊技制御手段と
を備えることを特徴とする遊技機。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
利益付与に関する抽選を行う第１抽選手段と、
前記第１抽選手段の抽選をその実行条件が成立するまで待機させて保留する第１保留手段と、
前記第１抽選手段と異なる内容で利益付与に関する抽選を行う第２抽選手段と、
前記第２抽選手段の抽選をその実行条件が成立するまで待機させて保留する第２保留手段と、
遊技者に利益を付与する大当り遊技を行う大当り遊技実行手段と、
通常遊技状態と該通常遊技状態よりも前記第２保留手段による保留がなされ易い時短遊技状態とを含む複数の遊技状態のなかで遊技状態を制御する遊技状態制御手段と、を備え、
前記第２抽選手段は、前記大当り遊技への移行契機となる特別結果に関する抽選を実行可能であり、該特別結果に当選した場合の特別遊技において略１００％の確率で前記大当り遊技へと移行可能とされ、
前記第２抽選手段による抽選は、前記特別結果に関する抽選によって前記大当り遊技が得られる割合が前記第１抽選手段による抽選よりも高くされ、
前記時短遊技状態において前記第２保留手段によって保留された保留数分の前記第２抽選手段による抽選を、前記遊技状態制御手段によって前記時短遊技状態から前記通常遊技状態へと移行された後に行い、限られた回数のなかで前記特別結果が得られるかの有限チャンス遊技を提供可能とした
ことを特徴とする遊技機。
【手続補正２】
【補正対象書類名】明細書
【補正対象項目名】０００６
【補正方法】変更
【補正の内容】
【０００６】
ただし、こうした遊技仕様はありきたりなものとなっており、遊技興趣の低下が抑制される新たな遊技仕様の登場が望まれている実情にある。
【手続補正３】
【補正対象書類名】明細書
【補正対象項目名】０００８
【補正方法】変更
【補正の内容】
【０００８】
上記課題を解決するために、本願発明は、利益付与に関する抽選を行う第１抽選手段と、
前記第１抽選手段の抽選をその実行条件が成立するまで待機させて保留する第１保留手段と、
前記第１抽選手段と異なる内容で利益付与に関する抽選を行う第２抽選手段と、
前記第２抽選手段の抽選をその実行条件が成立するまで待機させて保留する第２保留手段と、
遊技者に利益を付与する大当り遊技を行う大当り遊技実行手段と、
通常遊技状態と該通常遊技状態よりも前記第２保留手段による保留がなされ易い時短遊技状態とを含む複数の遊技状態のなかで遊技状態を制御する遊技状態制御手段と、を備え、
前記第２抽選手段は、前記大当り遊技への移行契機となる特別結果に関する抽選を実行可能であり、該特別結果に当選した場合の特別遊技において略１００％の確率で前記大当り遊技へと移行可能とされ、
前記第２抽選手段による抽選は、前記特別結果に関する抽選によって前記大当り遊技が得られる割合が前記第１抽選手段による抽選よりも高くされ、
前記時短遊技状態において前記第２保留手段によって保留された保留数分の前記第２抽選手段による抽選を、前記遊技状態制御手段によって前記時短遊技状態から前記通常遊技状態へと移行された後に行い、限られた回数のなかで前記特別結果が得られるかの有限チャンス遊技を提供可能とした
ことを特徴とする。
また、以下に記載の手段を採用するようにしてもよい。
手段１：通常遊技状態から有利遊技状態への移行制御が実行可能とされる遊技機において、
遊技領域内に配置され遊技媒体を受け入れ可能な始動口と、
前記始動口に遊技媒体が受け入れられたことに基づいて乱数を取得する乱数取得手段と、
前記乱数取得手段により取得される乱数に基づいて抽選を行う抽選手段と、
前記乱数取得手段により乱数が取得された場合、該取得された乱数に応じた前記抽選をその実行条件が成立するまで待機させて保留状態にする遊技保留手段と、  前記有利遊技状態において、前記始動口への遊技媒体の受け入れを前記通常遊技状態にあるときよりも容易化させる制御を実行可能な有利遊技制御手段と、
前記有利遊技状態にあるときに前記抽選にて特別当りが得られた場合、当該有利遊技状態が継続されるなかで前記始動口への遊技媒体の受け入れを促して前記抽選が新たに保留状態にされるようにしうる遊技準備期間と、該遊技準備期間における遊技の結果を受けて遊技者に特典が付与される特典遊技状態を発生させるか否かを遊技者側によって選択可能とする遊技が提供される特別分岐期間とをそれぞれ創出する特別期間創出制御手段と
を備え、
前記特別期間創出制御手段は、
前記特別分岐期間において前記特典遊技状態を発生させるように遊技者によって遊技が進行された場合、該遊技が進行されたことによって予め定められた遊技条件が満たされたときに前記特典遊技状態を発生させる制御を実行可能な特別遊技進行制御手段と、
前記特別分岐期間において前記特典遊技状態を発生させないように遊技者によって遊技が進行された場合、前記特典遊技状態を発生させることなく、前記有利遊技状態が継続されるなかで保留状態にある前記抽選が順次に消化される遊技の状況へと戻すように制御する再準備機会付与手段と
を備えることを特徴とする遊技機。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
互いに異なる高さに配置された複数のシリンジポンプと、
前記複数のシリンジポンプにそれぞれ装着された複数のシリンジと、を備え、
前記複数のシリンジの各々のシリンジ外筒には目盛部が設けられ、
前記目盛部は、前記シリンジ外筒の周方向の異なる位置に設けられた第１の目盛数字及び第２の目盛数字を有する、
ことを特徴とする医療機器。
【請求項２】
請求項１記載の医療機器において、
前記複数のシリンジポンプは、輸液スタンドに設置されている、
ことを特徴とする医療機器。
【請求項３】
請求項１又は２記載の医療機器において、
前記複数のシリンジポンプは、水平に対して傾斜した状態で設置されており、
前記複数のシリンジポンプの少なくとも１つは、他のシリンジポンプよりも水平に対する傾斜角度が大きい、
ことを特徴とする医療機器。
【請求項４】
請求項１〜３のいずれか１項に記載の医療機器において、
前記複数のシリンジポンプの１つである第１のシリンジポンプに装着された前記シリンジと、前記複数のシリンジポンプの他の１つであって前記第１のシリンジポンプに対し上下方向に隣接した第２のシリンジポンプに装着された前記シリンジとを、同じ高さから見る場合、前記第１のシリンジポンプに装着された前記シリンジと、前記第２のシリンジポンプに装着された前記シリンジとの各々において、前記第１の目盛数字と前記第２の目盛数字の少なくとも一方を視認可能である、
ことを特徴とする医療機器。
【請求項５】
請求項４記載の医療機器において、
前記第１の目盛数字と前記第２の目盛数字は、いずれも前記シリンジ内の液量を示す数字である、
ことを特徴とする医療機器。